(57)【特許請求の範囲】
【請求項１】
偏向特性を補正するための可飽和リアクタにおいて、
多くても２つの可飽和コアと、
前記可飽和コアに巻回され、水平偏向コイルに接続されるインピーダンス制御コイルと、
前記可飽和コアに磁気バイアスを与える１つのマグネットと、
前記可飽和コアと前記マグネットと共に閉磁路を形成する磁性コアと、
前記磁性コアに装着されたボビンと、
前記ボビンに巻回され、垂直偏向電流が流される飽和制御コイルと、
前記インピーダンス制御コイルが巻回された前記可飽和コアと前記マグネットとを収納するケースとを備えてなり、
前記磁性コアと前記飽和制御コイルが巻回された前記ボビンとは一体とされた第１の部品を構成し、
前記ケースは、前記第１の部品を前記ケースに対してスライド自在に保持する保持手段を有し、
前記第１の部品は前記保持手段によって保持された状態で前記ケースに対して装着されていることを特徴とする可飽和リアクタ。
【請求項２】
前記ケースは、前記インピーダンス制御コイルが巻回された前記可飽和コアと前記マグネットとを収納する収納部を有する収納側半体と、この収納側半体に連結され、前記収納側半体に対して開閉自在に形成された蓋側半体とよりなり、
前記収納側半体は、前記保持手段を有することを特徴とする請求項１記載の可飽和リアクタ。
【請求項３】
前記収納側半体は、前記第１の部品を前記収納側半体に仮固定する仮固定手段を備え、前記蓋側半体を前記収納側半体に対して閉じることによって、前記第１の部品は前記ケースに固定されることを特徴とする請求項２記載の可飽和リアクタ。
【請求項４】
前記磁性コアは、前記可飽和コアと前記マグネットとを押圧保持することを特徴とする請求項１ないし３のいずれかに記載の可飽和リアクタ。
【請求項５】
２つの可飽和コアを備え、前記マグネットは、前記２つの可飽和コアに対して互いに異なる磁気バイアスを与えることを特徴とする請求項１なしい４のいずれかに記載の可飽和リアクタ。
【請求項６】
前記マグネットは、前記２つの可飽和コアそれぞれに当接し、前記マグネットが前記２つの可飽和コアそれぞれに当接する面積を互いに異ならせることにより、前記マグネットが、前記２つの可飽和コアに対して互いに異なる磁気バイアスを与えることを特徴とする請求項５記載の可飽和リアクタ。
【請求項７】
水平偏向コイルと、垂直偏向コイルと、偏向特性を補正するための可飽和リアクタとを備えた偏向ヨークにおいて、
前記可飽和リアクタは、
多くても２つの可飽和コアと、
前記可飽和コアに巻回され、前記水平偏向コイルに接続されたインピーダンス制御コイルと、
前記可飽和コアに磁気バイアスを与える１つのマグネットと、
前記可飽和コアと前記マグネットと共に閉磁路を形成する磁性コアと、
前記磁性コアに装着されたボビンと、
前記ボビンに巻回され、垂直偏向電流が流れる飽和制御コイルと、
前記インピーダンス制御コイルが巻回された前記可飽和コアと前記マグネットとを収納するケースとを備え、
前記磁性コアと前記飽和制御コイルが巻回された前記ボビンとは一体とされた第１の部品を構成し、
前記ケースは、前記第１の部品を前記ケースに対してスライド自在に保持する保持手段を有し、
前記第１の部品は前記保持手段によって保持された状態で前記ケースに対して装着されており、
前記偏向ヨークは、前記飽和制御コイルが発生する垂直偏向飽和制御磁界の向きを、スクリーン上側偏向時とスクリーン下側偏向時とで同じ向きとする手段を備えることを特徴とする偏向ヨーク。
【請求項８】
前記ケースは、前記インピーダンス制御コイルが巻回された前記可飽和コアと前記マグネットとを収納する収納部を有する収納側半体と、この収納側半体に連結され、前記収納側半体に対して開閉自在に形成された蓋側半体とよりなり、
前記収納側半体は、前記保持手段を有することを特徴とする請求項７記載の偏向ヨーク。
【請求項９】
前記収納側半体は、前記第１の部品を前記収納側半体に仮固定する仮固定手段を備え、前記蓋側半体を前記収納側半体に対して閉じることによって、前記第１の部品は前記ケースに固定されることを特徴とする請求項８記載の偏向ヨーク。
【請求項１０】
前記磁性コアは、前記可飽和コアと前記マグネットとを押圧保持することを特徴とする請求項７ないし９のいずれかに記載の偏向ヨーク。
【請求項１１】
２つの可飽和コアを備え、前記マグネットは、前記２つの可飽和コアに対して互いに異なる磁気バイアスを与えることを特徴とする請求項７なしい１０のいずれかに記載の偏向ヨーク。
【請求項１２】
前記マグネットは、前記２つの可飽和コアそれぞれに当接し、前記マグネットが前記２つの可飽和コアそれぞれに当接する面積を互いに異ならせることにより、前記マグネットが、前記２つの可飽和コアに対して互いに異なる磁気バイアスを与えることを特徴とする請求項１１記載の偏向ヨーク。
【発明の詳細な説明】
【０００１】
【発明の属する技術分野】
本発明は、コンバーゼンスを調整したり、ラスタ歪を補正するために用いられる可飽和リアクタ及びこれを用いた偏向ヨークに関する。
【０００２】
【従来の技術】
偏向ヨークにおいては、コンバーゼンス特性を向上させたり、ラスタ歪のない偏向特性を得るため、種々の補正部品を備えていることは周知のことである。偏向補正部品の１つとして、可飽和リアクタがある。
【０００３】
図１７は、一般的な可飽和リアクタの構成を示す分解斜視図である。図１７に示すように、可飽和リアクタは、被制御コイル１０１，１０２と制御コイル１０３よりなるコイル類及びマグネット１０４，１０５と、これらコイル類及びマグネット１０４，１０５を収納するケースであるコイルホルダ１３２とよりなる。
【０００４】
被制御コイル１０１は、フェライト等よりなる一対のドラムコア（可飽和コア）１０６，１０７と、このドラムコア１０６，１０７に直列に巻回されたインピーダンス制御コイル１１０，１１１とよりなる。ドラムコア１０６，１０７の長手方向の両端部は、円形のフランジ１１４〜１１７となっている。なお、１２６，１２７は被制御コイル１０１のリードである。
【０００５】
被制御コイル１０２は、フェライト等よりなる一対のドラムコア（可飽和コア）１０８，１０９と、このドラムコア１０８，１０９に直列に巻回されたインピーダンス制御コイル１１２，１１３とよりなる。ドラムコア１０８，１０９の長手方向の両端部は、円形のフランジ１１８〜１２１となっている。なお、１２８，１２９は被制御コイル１０２のリードである。
【０００６】
制御コイル１０３は、フェライト等よりなるドラムコア（可飽和コア）１２２と、このドラムコア１２２に巻回された飽和制御コイル１２３とよりなる。ドラムコア１２２の長手方向の両端部は、円形のフランジ１２４，１２５となっている。なお、１３０，１３１は制御コイル１０３のリードである。この制御コイル１０３は、被制御コイル１０１，１０２によって挟着される。被制御コイル１０１，１０２の両外側には、フランジ１１５，１１７及び１１９，１２１の外側表面を覆うように、厚み方向に着磁されたマグネット１０４，１０５が装着される。
【０００７】
一方、コイルホルダ１３２は、被制御コイル１０１，１０２と制御コイル１０３とマグネット１０４，１０５とを収納するように箱状に形成されている。コイルホルダ１３２は、この可飽和リアクタを組み立てる際、最初にコイル類等の被収納物を組み込む収納側のコイルホルダ半体１３５（以下、収納側半体１３５と略記する）と、この収納側半体１３５に薄肉のヒンジ１３４によって接続され、Ｈ０，Ｈ０′方向に開閉可能で収納側半体１３５の蓋となるコイルホルダ半体１３３（以下、蓋側半体１３３と略記する）とよりなる。コイルホルダ１３２は、例えばポリプロピレン等の有弾性材料を用い、一体成形によって形成される。
【０００８】
収納側半体１３５の長手方向の両端部の内側には、それぞれ２つずつの突起１３６が形成されており、被制御コイル１０１，１０２と制御コイル１０３とマグネット１０４，１０５とを全て収納側半体１３５に組み込むと、被制御コイル１０１，１０２と制御コイル１０３とマグネット１０４，１０５とが互いに密着するよう強嵌合される。
【０００９】
収納側半体１３５のヒンジ１３４とは反対側の側面の長手方向の両端部には、孔１３７ａが設けられた外側に突出した突出部１３７が形成されている。蓋側半体１３３のヒンジ１３４とは反対側の側面の長手方向の両端部には、孔１３７ａに係合する弾性を有する爪１３８が形成されている。なお、蓋側半体１３３の長手方向の両端部には、図示していない基板にこの可飽和リアクタを装着するための爪１３９が形成されている。
【００１０】
この図１７に示す可飽和リアクタは、一例として、図１８に示すように接続される。インピーダンス制御コイル１１０〜１１３は全て直列に接続され、このインピーダンス制御コイル１１０〜１１３は、並列に接続された水平偏向コイル１２ａ，１２ｂと直列に接続されている。飽和制御コイル１２３は、直列に接続された一対の垂直偏向コイル１３ａ，１３ｂと直列に接続されている。この接続により、図１７に示す可飽和リアクタは、図１９に示すような、スクリーン左右方向中央部と左右端部とのそれぞれの略中央部に発生する縦線ラスタの糸巻歪を補正することができる。
【００１１】
【発明が解決しようとする課題】
図１７に示す従来の可飽和リアクタは、ドラムコア１０６〜１０９及び１２２の５つのドラムコアに対して、インピーダンス制御コイル１１０〜１１３や飽和制御コイル１２３を巻回し、２つのマグネット１０４，１０５と共にコイルホルダ１３２に組み込む必要があり、部品点数が多く、かなりの組立工数がかかるという問題点があった。また、可飽和リアクタを偏向ヨークに装着するに際しても、５つのコイルから引き出される電線を水平偏向コイルや垂直偏向コイルと結線する必要があり、組立工数の増大を招くという問題点があった。よって、図１７に示す可飽和リアクタを備えた偏向ヨークはコストが高くなってしまうという問題点があった。
【００１２】
本発明はこのような問題点に鑑みなされたものであり、従来と同等以上の偏向補正特性を有しつつ、部品点数及び組立工数が少なく、低コストの可飽和リアクタ及びこれを用いた偏向ヨークを提供することを目的とする。
【００１３】
【課題を解決するための手段】
本発明は、上述した従来の技術の課題を解決するため、
（Ａ）偏向特性を補正するための可飽和リアクタにおいて、多くても２つの可飽和コア（１ａ，１ｂ）と、前記可飽和コアに巻回され、水平偏向コイルに接続されるインピーダンス制御コイル（２ａ，２ｂ）と、前記可飽和コアに磁気バイアスを与える１つのマグネット（５，５０）と、前記可飽和コアと前記マグネットと共に閉磁路を形成する磁性コア（３）と、前記磁性コアに装着されたボビン（１４）と、前記ボビンに巻回され、垂直偏向電流が流される飽和制御コイル（４）と、前記インピーダンス制御コイルが巻回された前記可飽和コアと前記マグネットとを収納するケース（２０）とを備えてなり、前記磁性コアと前記飽和制御コイルが巻回された前記ボビンとは一体とされた第１の部品（１００）を構成し、前記ケースは、前記第１の部品を前記ケースに対してスライド自在に保持する保持手段（２０a10，２０a11）を有し、この第１の部品は前記保持手段によって保持された状態で前記ケースに対して装着されていることを特徴とする可飽和リアクタを提供し、
（Ｂ）水平偏向コイル（１２ａ，１２ｂ）と、垂直偏向コイル（１３ａ，１３ｂ）と、偏向特性を補正するための可飽和リアクタとを備えた偏向ヨークにおいて、前記可飽和リアクタは、多くても２つの可飽和コア（１ａ，１ｂ）と、前記可飽和コアに巻回され、前記水平偏向コイルに接続されたインピーダンス制御コイル（２ａ，２ｂ）と、前記可飽和コアに磁気バイアスを与える１つのマグネット（５，５０）と、前記可飽和コアと前記マグネットと共に閉磁路を形成する磁性コア（３）と、前記磁性コアに装着されたボビン（１４）と、前記ボビンに巻回され、垂直偏向電流が流れる飽和制御コイルと、前記インピーダンス制御コイルが巻回された前記可飽和コアと前記マグネットとを収納するケース（２０）とを備え、前記磁性コアと前記飽和制御コイルが巻回された前記ボビンとは一体とされた第１の部品（１００）を構成し、前記ケースは、前記第１の部品を前記ケースに対してスライド自在に保持する保持手段（２０a10，２０a11）を有し、前記第１の部品は前記保持手段によって保持された状態で前記ケースに対して装着されており、前記偏向ヨークは、前記飽和制御コイルが発生する垂直偏向飽和制御磁界の向きを、スクリーン上側偏向時とスクリーン下側偏向時とで同じ向きとする手段（８，９，１０）を備えることを特徴とする偏向ヨークを提供するものである。
【００１４】
【発明の実施の形態】
以下、本発明の可飽和リアクタ及びこれを用いた偏向ヨークについて、添付図面を参照して説明する。図１は本発明の可飽和リアクタの基本的構成を示す平面図、図２及び図３は図１に示す可飽和リアクタの接続例を示す回路図、図４は本発明の可飽和リアクタの動作を説明するためのスクリーン上の偏向点を示す図、図５は本発明の可飽和リアクタの動作を説明するための特性図、図６及び図７は本発明の可飽和リアクタの一部である第１の部品１００を示す斜視図、図８は本発明の可飽和リアクタの一部である第１の部品１００を示す平面図、図９及び図１０は本発明の可飽和リアクタの一部であるケース２０を示す斜視図、図１１は第１の部品１００をケース２０に装着する途中の状態を示す斜視図、図１２は第１の部品１００をケース２０に装着した状態を示す斜視図、図１３は図１２の状態に対してさらに部品を組み込んだ状態を示す斜視図、図１４は本発明の可飽和リアクタの全体を示す斜視図、図１５はスクリーン左右方向中央部に発生する弓状歪を示す図、図１６は図１５に示す弓状歪を補正するための実施形態を示す斜視図である。
【００１５】
まず、本発明の可飽和リアクタの基本的構成について説明する。図１において、ドラムコアである可飽和コア１ａ，１ｂには、それぞれ、インピーダンス制御コイル２ａ，２ｂが巻回されている。可飽和コア１ａ，１ｂは、図１の上下方向に並べて配置されている。可飽和コア１ａ，１ｂの一方の側（ここでは右側）には、磁気バイアスを与えるマグネット５が配置され、もう一方の側（ここでは左側）には、渦電流が発生しにくい磁性体で形成された磁性体ピース１１が配置されている。磁性体ピース１１は、好適な一例としてフェライトよりなる。
【００１６】
可飽和コア１ａ，１ｂとマグネット５と磁性体ピース１１は、略コ字状の磁性コア３の２つの脚部３１，３２間に配置されている。磁性コア３の胴部３０には、樹脂にて形成されたボビン１４が胴部３０の中間部を包むように装着されている。ボビン１４には、飽和制御コイル４が巻回されている。以上の構成により、可飽和コア１ａ，１ｂと、マグネット５と、磁性体ピース１１と、磁性コア３とで、破線にて示す閉磁路６が形成されている。
【００１７】
図１に示す可飽和リアクタは、図２または図３に示すように接続される。まず、図２において、インピーダンス制御コイル２ａ，２ｂは直列に接続され、このインピーダンス制御コイル２ａ，２ｂは、並列に接続された水平偏向コイル１２ａ，１２ｂと直列に接続されている。インピーダンス制御コイル２ａ，２ｂには、水平偏向コイル１２ａ，１２ｂに流れる水平偏向電流の全てが流れる。
【００１８】
飽和制御コイル４は、直列に接続された一対の垂直偏向コイル１３ａ，１３ｂと直列に接続されたダイオードブリッジ回路８の出力（２つの出力端子間）に接続されている。ダイオードブリッジ回路８は、垂直偏向コイル１３ａ，１３ｂと直列に接続された抵抗７に対して並列に接続されている。飽和制御コイル４には、垂直偏向コイル１３ａ，１３ｂに流れる垂直偏向電流のほとんど全てが流れる。
【００１９】
ダイオードブリッジ回路８は、飽和制御コイル４が発生する垂直偏向飽和制御磁界を、スクリーン上側偏向時とスクリーン下側偏向時とで同じ向きにするための手段となっている。飽和制御コイル４が発生する磁界は、マグネット５が発生する磁界と逆向きとなるように設定されている。また、インピーダンス制御コイル２ａ，２ｂは、互いに逆向きの磁界を発生するように巻回されている。
【００２０】
次に、図３に示す接続例について説明する。インピーダンス制御コイル２ａ，２ｂは図２と同様直列に接続され、このインピーダンス制御コイル２ａ，２ｂは、並列に接続された水平偏向コイル１２ａ，１２ｂと直列に接続されている。インピーダンス制御コイル２ａ，２ｂには、水平偏向コイル１２ａ，１２ｂに流れる水平偏向電流の全てが流れる。
【００２１】
飽和制御コイル４は、２本の電線を一緒にしてバイファイラ状に巻回した２つのコイルから構成されている。この２つの飽和制御コイル４には、互いに逆向きのダイオード９，１０が直列に接続されている。２つの飽和制御コイル４とダイオード９，１０とは、直列に接続された一対の垂直偏向コイル１３ａ，１３ｂと直列に接続されている。２つの飽和制御コイル４とダイオード９，１０との直列回路は、垂直偏向コイル１３ａ，１３ｂと直列に接続された抵抗７に対して並列に接続されている。飽和制御コイル４には、垂直偏向コイル１３ａ，１３ｂに流れる垂直偏向電流のほとんど全てが流れる。
【００２２】
ダイオード９，１０は、飽和制御コイル４が発生する垂直偏向飽和制御磁界を、スクリーン上側偏向時とスクリーン下側偏向時とで同じ向きにするための手段となっている。図２と同様、飽和制御コイル４が発生する磁界は、マグネット５が発生する磁界と逆向きとなるように設定されており、インピーダンス制御コイル２ａ，２ｂは、互いに逆向きの磁界を発生するように巻回されている。図２及び図３における可飽和リアクタは、同じ動作をする。
【００２３】
ここで、この可飽和リアクタの動作について、図４及び図５を用いて説明する。図４はＣＲＴのスクリーン上の偏向位置を示している。図５における横軸Ｈはインピーダンス制御コイル２ａ，２ｂが巻回されている可飽和コア１ａ，１ｂに加わる磁界を示しており、縦軸Ｌはインピーダンス制御コイル２ａ，２ｂのインダクタンスを示している。図４におけるＣ点、即ち、スクリーンのセンター偏向時は、水平偏向電流、垂直偏向電流共に流れないため、マグネット５が発生する磁界ＨＤＣのみが作用して、インピーダンス制御コイル２ａ，２ｂの動作点は図５のＰ１となる。
【００２４】
図４におけるＭＲ点偏向時は、インピーダンス制御コイル２ａ，２ｂが発生する磁界ＨＭは互いに逆向きとなるように巻回されているため、動作点はインピーダンス制御コイル２ａがＭａ１、インピーダンス制御コイル２ｂがＭｂ１となる。図４におけるＲ点偏向時は、インピーダンス制御コイル２ａ，２ｂが発生する磁界ＨＲの作用により、動作点はインピーダンス制御コイル２ａがＲａ１、インピーダンス制御コイル２ｂがＲｂ１となる。
【００２５】
次に、図４におけるＴ点偏向時は、水平偏向電流は流れず、また、前述のように、垂直偏向電流によって飽和制御コイル４が発生する磁界ＨＶはマグネット５が発生する磁界ＨＤＣと逆向きのため、動作点はＰ２となる。図４におけるＴＴＲ点偏向時の動作点は、インピーダンスコイル２ａがＭａ２、インピーダンスコイル２ｂがＭｂ２となる。同様に、図４におけるＴＲ点偏向時の動作点は、インピーダンスコイル２ａがＲａ２、インピーダンスコイル２ｂがＲｂ２となる。
【００２６】
よって、図４の各偏向点における可飽和リアクタのインダクタンスは、
ＭＲ点におけるインダクタンスＬＭＲ＝Ｍａ１＋Ｍｂ１
Ｒ点におけるインダクタンスＬＲ＝Ｒａ１＋Ｒｂ１
ＴＴＲ点におけるインダクタンスＬＴＴＲ＝Ｍａ２＋Ｍｂ２
ＴＲ点におけるインダクタンスＬＴＲ＝Ｒａ２＋Ｒｂ２
となる。
【００２７】
ここで、ＬＴＲとＬＲを比較するとＬＴＲ＞ＬＲとなるため、図４のＲ点の水平偏向量よりも図４のＴＲ点の水平偏向量が小さくなり、左右端部における縦線ラスタの糸巻歪が減少する。同様に、ＬＴＴＲ＞ＬＭＲとなるため、図４のＭＲ点の水平偏向量よりも図４のＴＴＲ点の水平偏向量が小さくなり、中央部と左右端部との略中央部における縦線ラスタの糸巻歪も減少する。このとき、（ＬＴＴＲ−ＬＭＲ）＞（ＬＴＲ−ＬＲ）となるため、左右端部よりも中央部と左右端部との略中央部における改善量が大きく、図１９に示す縦線ラスタの糸巻歪を補正することが可能となる。
【００２８】
ところで、図１の構成における磁性体ピース１１は、磁性コア３に発生する渦電流を減少させ、これによって磁性コア３の発熱を抑えるためのものである。磁性体ピース１１自体にも渦電流が実質的に発生せず、磁性体ピース１１はほとんど発熱しない。磁性体ピース１１を挿入しても、閉磁路６は保たれるので、上述した可飽和リアクタとしての動作（歪の補正特性）には一切影響を与えない。この構成によれば、磁性体ピース１１のない構成と比較して歪の補正量を減らすことなく約３０℃の温度低減効果が得られる。なお、発熱の問題を考慮しなくてよい場合は、磁性体ピース１１は削除可能である。
【００２９】
次に、図６〜図１５を用いて、本発明の可飽和リアクタのケースを含めた、さらに具体的な構成について詳細に説明する。まず、図６〜図８は、磁性コア３と飽和制御コイル４とボビン１４とよりなる第１の部品１００を示している。図６及び図７は第１の部品１００の斜視図であり、図８は第１の部品１００の平面図である。なお、図６，図７においては、飽和制御コイル４の図示を省略している。
【００３０】
図１を用いた説明においては、磁性コア３を略コ字状と表現したが、本実施形態では、脚部３１，３２は一の平面ではなく、図６〜図８に示すような形状となっている。即ち、脚部３１，３２における全体の胴部３０側から１／３程度のところで胴部３０と略平行する方向に内側へと折れ曲がり、さらに、２／３程度のところで胴部３０と略直交する方向へと折れ曲がっている。このように折れ曲がった脚部３１，３２のそれぞれの部分を、基部３１ａ，３２ａ、中間部３１ｂ，３２ｂ、先端部３１ｃ，３２ｃと称することとする。図６より分かるように、先端部３１ｃ，３２ｃには、その幅方向の略中央部にスリット３１cs，３２csが形成されている。
【００３１】
このような形状を有する磁性コア３は、一例として、ＪＩＳ規格５０Ａ４７０の電磁鋼板のｔ０．５よりなり、１枚の平面状の鋼板を折り曲げることによって形成される。本実施形態では、磁性コア３の胴部３０に、２枚の磁性コア３ａが積層されており、ボビン１４は、胴部３０と磁性コア３ａの３枚の鋼板を包んでいる。磁性コア３ａは、可飽和リアクタとしての所望の補正特性が得られるように挿入したものであり、その枚数は任意であり、場合によっては削除可能である。
【００３２】
なお、ボビン１４は、インサート成形により胴部３０と磁性コア３ａとに装着したものであるが、これに限定されるものではない。例えばヒンジにより折り曲げ自在のものを折り曲げて、胴部３０と磁性コア３ａとに嵌着する構成であってもよい。
【００３３】
ボビン１４の両端にはフランジ１４ａ，１４ｂが形成されており、このフランジ１４ａ，１４ｂには、それぞれ、ボビン１４に巻回した飽和制御コイル４の引き出し線を絡めるための略碇状の突起１４ｃが形成されている。また、フランジ１４ａ，１４ｂにおける磁性コア３の脚部３１，３２側の端部には、後述する第２の部品２００のケース２０と係合するための突起１４ｄ，１４ｅが形成されている。突起１４ｄは、フランジ１４ａ，１４ｂにおける突起１４ｃを設けた側の側端部に外方向に向けて突出しており、突起１４ｅは、フランジ１４ａ，１４ｂにおけるもう一方の側端部にフランジ１４ａ，１４ｂの面と平行方向に向けて突出している。
【００３４】
次に、図９〜図１４を用いて、インピーダンス制御コイル２ａ，２ｂを巻回した可飽和コア１ａ，１ｂと、マグネット５と、磁性体ピース１１と、これらを収納するためのケース２０とよりなる第２の部品２００や、第２の部品２００に対する第１の部品１００の装着方法について説明する。
【００３５】
図９，図１０は、ケース２０を示しており、図９は、インピーダンス制御コイル２ａ，２ｂを巻回した可飽和コア１ａ，１ｂと、マグネット５と、磁性体ピース１１を収納する側から見た斜視図であり、図１０は、その反対側から見た斜視図である。まず、図９を用いて収納側の詳細な構造について説明する。図９に示すように、ケース２０は、収納側半体２０ａと蓋側半体２０ｂとよりなり、収納側半体２０ａと蓋側半体２０ｂとの連結部分は、ヒンジ２０ｃとなっている。蓋側半体２０ｂは、ヒンジ２０ｃにより収納側半体２０ａに対して開閉自在となっている。ケース２０は、一例として、ヒンジ２０ｃの屈曲特性に優れているポリプロピレン樹脂にて一体形成されている。
【００３６】
収納側半体２０ａは、可飽和コア１ａ，１ｂを収納するための収納部２０a1，２０a2と、マグネット５を収納するための収納部２０a3と、磁性体ピース１１を収納する収納部２０a4とを有する。
【００３７】
これらの収納部２０a1〜２０a4は、具体的には、次のように構成されている。収納側半体２０ａの底部には、可飽和コア１ａ，１ｂの各フランジそれぞれに当接する傾斜面２０a5を有する２つの立壁２０a6が形成されており、中央側の傾斜面２０a5の間には柱状突起２０a7が形成されている。２つの立壁２０a6間が、可飽和コア１ａ，１ｂの収納部２０a1，２０a2である。収納部２０a1，２０a2は、柱状突起２０a7によって互いに区画されている。２つの立壁２０a6の両外側がそれぞれマグネット５を収納するための収納部２０a3と磁性体ピース１１を収納する収納部２０a4とになる。
【００３８】
また、収納側半体２０ａのヒンジ２０ｃ側の端部近傍には、壁２０a8iが形成され、ヒンジ２０ｃとは反対側の端部近傍には、壁２０a8oが形成されている。上記の２つの立壁２０a6は、この壁２０a8i，２０a8o間に形成されている。収納側半体２０ａのヒンジ２０ｃとは反対側の端部には、鉤状突起２０a9が形成されている。
【００３９】
一方、蓋側半体２０ｂには、ヒンジ２０ｃと直行方向に延びた細長の板状リブ２０b1と、板状リブ２０b1と隣接した細長の板状リブ２０b2が形成されている。また、蓋側半体２０ｂには、放熱用の２つの開口２０b3が形成されている。蓋側半体２０ｂの幅方向両端部には、階段状の壁２０b4が形成されている。一対の壁２０b4間の距離Ｌb4は、上述した磁性コア３における脚部３１，３２の先端部３１ｃ，３２ｃの外側の間隔Ｌco（図８参照）より若干大きい程度となっている。
【００４０】
さらに、蓋側半体２０ｂのヒンジ２０ｃとは反対側の端部に設けた壁２０b5の内面側であり、壁２０b4の近傍には、リブ２０b6が形成されている。蓋側半体２０ｂのヒンジ２０ｃとは反対側の端部であり、壁２０b5の上端面には、係合穴２０b7が形成されている。蓋側半体２０ｂの幅方向両端部には、図示していない基板等にこの可飽和リアクタを装着するための鉤状突起２０b8が形成されている。
【００４１】
収納部２０a1〜２０a4に可飽和コア１ａ，１ｂやマグネット５，磁性体ピース１１をそれぞれ収納して、蓋側半体２０ｂを折りたたむと、蓋側半体２０ｂに形成した板状リブ２０b1が可飽和コア１ａ，１ｂの各フランジ上端部に当接して、収納側半体２０ａと蓋側半体２０ｂとが可飽和コア１ａ，１ｂを挟持し、板状リブ２０b2がマグネット５，磁性体ピース１１の上端部に当接して、収納側半体２０ａと蓋側半体２０ｂとがマグネット５，磁性体ピース１１を挟持するようになっている。
【００４２】
このとき、収納側半体２０ａの鉤状突起２０a9が蓋側半体２０ｂの係合穴２０b7に挿入し、収納側半体２０ａと蓋側半体２０ｂとが係合して、蓋側半体２０ｂは収納側半体２０ａに対して閉じた状態となる。
【００４３】
次に、図１０を用いて収納する側とは反対側である裏面側の詳細な構造について説明する。図１０に示すように、収納側半体２０ａの幅方向両端部には、ガイド壁２０a10が形成されている。一対のガイド壁２０a10間の距離Ｌa10は、上述したボビン１４のフランジ１４ａ，１４ｂの外側の間隔Ｌ14（図８参照）とほぼ同じ程度となっている。ガイド壁２０a10に隣接した収納側半体２０ａ裏面の底部は、ガイド面２０a11となっている。
【００４４】
第１の部品１００は、収納側半体２０ａの裏面側にスライド自在に保持されるようになっている。図１１は、第１の部品１００を収納側半体２０ａの裏面側に装着して途中までスライドした状態を示している。なお、図１１においては、ボビン１４に巻回される飽和制御コイル４の図示を省略している。第１の部品１００は、フランジ１４ａ，１４ｂの突起１４ｅを設けた側を先頭にして、収納側半体２０ａの裏面側に装着される。このとき、ガイド壁２０a10とガイド面２０a11とが、フランジ１４ａ，１４ｂをガイドする。収納側半体２０ａのガイド壁２０a10とガイド面２０a11は、第１の部品１００をスライド自在に保持する保持手段として作用する。
【００４５】
図１０に戻り、ガイド面２０a11の奥側であり、収納側半体２０ａ両側部のヒンジ２０ｃ側の端部には、突起１４ｅとほとんどがたなく係合する穴２０a12が形成されている。また、ガイド壁２０a10の手前側（第１の部品１００を挿入する側）には、フランジ１４ａ，１４ｂの突起１４ｄとほとんどがたなく係合する凹部２０a13が形成されている。図１１に示すように、第１の部品１００を矢印Ａで示すように最も奥までスライドさせると、フランジ１４ａ，１４ｂの突起１４ｅが収納側半体２０ａの穴２０a12に係合し、突起１４ｄが凹部２０a13に係合して、第１の部品１００は、収納側半体２０ａに対して位置決めされる。
【００４６】
これにより、第１の部品１００は、収納側半体２０ａの底面と直交する図１１に示す矢印Ｂ方向の位置規制がなされる。また、突起１４ｄ，１４ｅがそれぞれ凹部２０a13，穴２０a12にほとんどがたなく係合するので、第１の部品１００は、スライド方向（矢印Ａ方向及びその反対方向）にもある程度の位置規制がなされる。このとき、第１の部品１００は、収納側半体２０ａに対して仮固定された状態である。突起１４ｄ，１４ｅとこれらが係合する凹部２０a13，穴２０a12とは、第１の部品１００を収納側半体２０ａに仮固定する仮固定手段として作用する。
【００４７】
以上のようにして、第１の部品１００を収納側半体２０ａの裏面側に装着した後、収納側半体２０ａの収納部２０a1〜２０a4に、それぞれ、インピーダンス制御コイル２ａ，２ｂを巻回した可飽和コア１ａ，１ｂと、マグネット５と、磁性体ピース１１を収納する。図１２は各部品を収納部２０a1〜２０a4に収納する前の状態、図１３は各部品を収納部２０a1〜２０a4に収納した状態を示している。なお、図１２，図１３においては、簡略化のため、インピーダンス制御コイル２ａ，２ｂの図示を省略している。
【００４８】
図１２，図１３より分かるように、第１の部品１００を収納側半体２０ａの裏面側に装着した状態において、磁性コア３における脚部３１，３２の中間部３１ｂ，３２ｂは、収納側半体２０ａの内側へと延び、収納部２０a3，２０a4の近傍まで達している。よって、第１の部品１００を収納側半体２０ａの裏面側に装着してスライドさせる途中でも、第１の部品１００は収納側半体２０ａより落下することはない。磁性コア３における脚部３１，３２の先端部３１ｃ，３２ｃは、収納部２０a3，２０a4の両外側に位置する。
【００４９】
マグネット５の厚さと、可飽和コア１ａ，１ｂの長手方向の長さと、磁性体ピース１１の厚さとの合計寸法は、脚部３１，３２の先端部３１ｃ，３２ｃの内側の間隔Ｌci（図８参照）よりも若干大きくなっている。先端部３１ｃ，３２ｃの間隔を若干外方向に撓ませて、可飽和コア１ａ，１ｂとマグネット５と磁性体ピース１１をそれぞれの収納部２０a1〜２０a4に収納すると、磁性コア３はこれらの部品全体を押圧保持する。
【００５０】
なお、マグネット５の厚さと、可飽和コア１ａ，１ｂの長手方向の寸法と、磁性体ピース１１の厚さとの合計寸法と、脚部３１，３２の先端部３１ｃ，３２ｃの内側の間隔Ｌciとの差は、挿入が容易で、適切な押圧力が得られるよう、０．３mm程度が好ましい。
【００５１】
上記のように、先端部３１ｃ，３２ｃには、その幅方向の略中央部にスリット３１cs，３２csが形成されているので、先端部３１ｃ，３２ｃは、スリット３１cs，３２csにより分割されたそれぞれの片で独立して撓むことができる。よって、各部品の挿入が容易となると共に、それぞれの片が部品全体を良好に挟持する。
【００５２】
即ち、可飽和コア１ａ，１ｂの長手方向の寸法が多少ばらついてもそのばらつきを吸収して、可飽和コア１ａ，１ｂそれぞれに均等に押圧力をかけることが可能となる。よって、短い方の可飽和コアが動いてしまったり、マグネット５や磁性体ピース１１との間に隙間が生じて閉磁路６が形成できなくなるという問題が発生することはない。
【００５３】
図１３のように各部品を収納側半体２０ａに収納したら、インピーダンス制御コイル２ａ，２ｂのリード（図示せず）を所定の位置に引き出し、ヒンジ２０ｃを中心にして蓋側半体２０ｂを収納側半体２０ａ方向へと折り曲げ、鉤状突起２０a9を係合穴２０b7に係合させる。これによって、図１４に示すように、第１の部品１００と第２の部品２００とが一体化した本発明の可飽和リアクタを得ることができる。
【００５４】
この図１４の状態において、蓋側半体２０ｂの壁２０b4の端面２０b41が、磁性コア３における脚部３１，３２の中間部３１ｂ，３２ｂのヒンジ２０ｃとは反対側の端面にほぼ当接するので、第１の部品１００は、最終的に、スライド方向（図１１の矢印Ａ方向及びその反対方向）の位置規制がなされる。即ち、蓋側半体２０ｂを収納側半体２０ａに対して開けた状態で収納側半体２０ａに装着した第１の部品１００は、上記のように収納側半体２０ａ（ケース２０）に対して仮固定の状態にあり、蓋側半体２０ｂを収納側半体２０ａに対して閉じると、第１の部品１００はケース２０対してほとんどがたなく固定されることとなる。
【００５５】
また、図１４の状態において、蓋側半体２０ｂの２つのリブ２０b6は、収納側半体２０ａの壁２０a8oの幅方向の両外側にほぼ当接して、収納側半体２０ａと蓋側半体２０ｂとの幅方向のがたつきを防止するようになっている。なお、以上の構成によれば、第１の部品１００と第２の部品２００とを一体化した後においても第１の部品１００と第２の部品２００とを再び分解することができるが、図１４に示す可飽和リアクタに接着剤を塗布して、可飽和リアクタ全体を固着してもよい。
【００５６】
本発明の可飽和リアクタ及びこれを用いた偏向ヨークは、以上の構成により、図１９に示す縦線ラスタの糸巻歪を補正することができ、従来と同等以上の偏向補正特性を有しつつ、部品点数及び組立工数が少なく、低コストとなる。
【００５７】
ところで、最近のディスプレイ装置においては、種々のラスタ歪補正機能が組み込まれている。そして、このラスタ歪補正機能によるスクリーン左右における補正特性の非対称等により、図１５（Ａ），（Ｂ）に示すように、スクリーン左右方向中央部における縦線ラスタの弓状歪が発生する場合がある。図１６に示す実施形態は、上述した図１〜図１４に示す基本的構成に加え、図１５（Ａ），（Ｂ）に示すような縦線ラスタの歪を補正するよう構成したものである。図１６において、図６〜図１４と同一部分には同一符号を付し、その説明を適宜省略する。
【００５８】
図１６と図１３とを比較すれば分かるように、図１６に示す実施形態においては、マグネット５の代わりに、それよりも長さの短いマグネット５０を用いている。図１３におけるマグネット５は、可飽和コア１ａ，１ｂのフランジの両端間距離と略同等の長さを有しているが、図１６におけるマグネット５０は、その両端間距離よりも短い長さを有するものである。図１６の例では、マグネット５０は、その長手方向の一方の端部が壁２０a8iに当接するように配置されている。
【００５９】
マグネット５０を、可飽和コア１ａ，１ｂの両フランジに均等に当接するよう配置するのではなく、両フランジに不均等に当接させるよう配置させている。これにより、マグネット５０が可飽和コア１ａ，１ｂの両フランジに当接する面積は、互いに異なっている。このようにすると、可飽和コア１ａ，１ｂに与える磁気バイアスが互いに異なって、可飽和コア１ａ，１ｂに巻回されたインピーダンス制御コイル２ａ，２ｂのインダクタンスが互いに異なることとなる。
【００６０】
インピーダンス制御コイル２ａ，２ｂのインダクタンスが互いに等しければ、インピーダンス制御コイル２ａ，２ｂは互いに逆向きの磁界を発生するように巻回されているため、飽和制御コイル４の磁界によって発生してインピーダンス制御コイル２ａ，２ｂに流れる誘導電流は互いに打ち消し合うことになる。しかしながら、図１６のように構成して、インピーダンス制御コイル２ａ，２ｂのインダクタンスに差が生じている場合には、誘導電流にも差が生じて互いに打ち消し合わなくなる。
【００６１】
すると、その誘導電流は、インピーダンス制御コイル２ａ，２ｂに接続された水平偏向コイル１２ａ，１２ｂに流れ、スクリーン上側及び下側で電子ビームを水平方向に偏向させる。その結果、図１５（Ａ），（Ｂ）に示すように、スクリーン上側及び下側で縦線ラスタを弓状に変化させることができる。そこで、マグネット５０による可飽和コア１ａ，１ｂへの磁気バイアスを異ならせ、スクリーン左右方向中央部における縦線ラスタの弓状歪を打ち消すように、インピーダンス制御コイル２ａ，２ｂのインダクタンスを意図的にアンバランスにさせる。
【００６２】
なお、縦線ラスタが変化する方向、即ち、図１５（Ａ），（Ｂ）のいずれとなるかは、インピーダンス制御コイル２ａ，２ｂのインダクタンスの大小関係や巻回方向によって決まる。
【００６３】
図１６の実施形態では、磁気バイアスを異ならせる手段として、マグネット５０が可飽和コア１ａ，１ｂの両フランジに当接する面積を異ならせたが、形状の異なるマグネットを可飽和コア１ａ，１ｂの両フランジに当接させたり、着磁量の異なるマグネットを可飽和コア１ａ，１ｂの両フランジに当接させるようにしてもよい。
【００６４】
本発明は以上説明した本実施形態に限定されることなく、本発明の要旨を逸脱しない範囲において種々変更可能である。例えば、発熱の問題を考慮する必要がない場合には、磁性体ピース１１はなくてもよい。磁性体ピース１１を削除した場合には、上述した機構的な構成はそれに応じて適宜に変更することは当然である。
【００６５】
【発明の効果】
以上詳細に説明したように、本発明の可飽和リアクタは、多くても２つの可飽和コアと、この可飽和コアに巻回され、水平偏向コイルに接続されるインピーダンス制御コイルと、可飽和コアに磁気バイアスを与える１つのマグネットと、可飽和コアとマグネットと共に閉磁路を形成する磁性コアと、磁性コアに装着されたボビンと、このボビンに巻回され、垂直偏向電流が流される飽和制御コイルと、インピーダンス制御コイルが巻回された可飽和コアとマグネットとを収納するケースとを備えてなり、磁性コアと飽和制御コイルが巻回されたボビンとは一体とされた第１の部品を構成し、ケースは、第１の部品をケースに対してスライド自在に保持する保持手段を有し、第１の部品は保持手段によって保持された状態でケースに対して装着されている。また、本発明の偏向ヨークは、この可飽和リアクタを装着し、飽和制御コイルが発生する垂直偏向飽和制御磁界の向きを、スクリーン上側偏向時とスクリーン下側偏向時とで同じ向きとする手段を設けて構成した。よって、本発明によれば、従来と同等以上の偏向補正特性を有しつつ、部品点数及び組立工数が少なく、低コストとすることができる。
【００６６】
また、複数の可飽和コアを備えた構成において、マグネットが複数の可飽和コアに対して互いに異なる磁気バイアスを与えるようにしたので、スクリーン左右方向中央部における縦線ラスタの弓状歪を補正することができる。
【図面の簡単な説明】
【図１】本発明の可飽和リアクタの基本的構成を示す平面図である。
【図２】図１に示す可飽和リアクタの接続例を示す回路図である。
【図３】図１に示す可飽和リアクタの接続例を示す回路図である。
【図４】本発明の可飽和リアクタの動作を説明するためのスクリーン上の偏向点を示す図である。
【図５】本発明の可飽和リアクタの動作を説明するための特性図である。
【図６】本発明の可飽和リアクタの一部である第１の部品１００を示す斜視図である。
【図７】本発明の可飽和リアクタの一部である第１の部品１００を示す斜視図である。
【図８】本発明の可飽和リアクタの一部である第１の部品１００を示す平面図である。
【図９】本発明の可飽和リアクタの一部であるケース２０を示す斜視図である。
【図１０】本発明の可飽和リアクタの一部であるケース２０を示す斜視図である。
【図１１】第１の部品１００をケース２０に装着する途中の状態を示す斜視図である。
【図１２】第１の部品１００をケース２０に装着した状態を示す斜視図である。
【図１３】図１２の状態に対してさらに部品を組み込んだ状態を示す斜視図である。
【図１４】本発明の可飽和リアクタの全体を示す斜視図である。
【図１５】スクリーン左右方向中央部に発生する弓状歪を示す図である。
【図１６】図１５に示す弓状歪を補正するための実施形態を示す斜視図である。
【図１７】従来の可飽和リアクタを示す分解斜視図である。
【図１８】従来の可飽和リアクタの接続例を示す回路図である。
【図１９】縦線ラスタの糸巻歪を示す図である。
【符号の説明】
１ａ，１ｂ  可飽和コア
２ａ，２ｂ  インピーダンス制御コイル
３  磁性コア
４  飽和制御コイル
５，５０  マグネット
６  閉磁路
８  ダイオードブリッジ回路
９，１０  ダイオード
１１  磁性体ピース
１２ａ，１２ｂ  水平偏向コイル
１３ａ，１３ｂ  垂直偏向コイル
１４  ボビン
１４ａ，１４ｂ  フランジ
１４ｄ，１４ｅ  突起
２０  ケース
２０ａ  収納側半体
２０a1〜２０a4  収納部
２０a12  穴
２０a13  凹部
２０ｂ  蓋側半体
２０ｃ  ヒンジ
１００  第１の部品
２００  第２の部品
【図１】
0003734158.tif 000002
【図２】
0003734158.tif 000003
【図３】
0003734158.tif 000004
【図４】
0003734158.tif 000005
【図５】
0003734158.tif 000006
【図６】
0003734158.tif 000007
【図７】
0003734158.tif 000008
【図８】
0003734158.tif 000009
【図９】
0003734158.tif 000010
【図１０】
0003734158.tif 000011
【図１１】
0003734158.tif 000012
【図１２】
0003734158.tif 000013
【図１３】
0003734158.tif 000014
【図１４】
0003734158.tif 000015
【図１５】
0003734158.tif 000016
【図１６】
0003734158.tif 000017
【図１７】
0003734158.tif 000018
【図１８】
0003734158.tif 000019
【図１９】
0003734158.tif 000020